(57)【特許請求の範囲】
【請求項１】
表表紙となる第１帳票と、個人情報を印字する１乃至複数枚の第２帳票と、裏表紙となる第３帳票とからなり、前記第１帳票には透明窓を設け、第２帳票の前記透明窓と対応する位置には宛名等情報印字欄を設ける一方、第２帳票の前記透明窓から見えない部分には個人情報印字欄を設け、前記第１帳票の裏面と前記第３帳票の表面に地紋を設け、前記第１帳票と第２帳票との間は四辺縁部を接着して上記印字部分を密閉し、前記第２帳票と第３帳票との間は三辺を接着して上方開放の封筒部を形成し、当該帳票の片方の側辺を残して他の三辺の接着部分を切り取りミシン線を介して切り取り可能として見開きの小冊子形式を構成するようにした封筒一体型帳票であって、
前記第１帳票、第２帳票、第３帳票は、それぞれ連続帳票として個別に作成しておくもので、第２帳票に宛名情報及び個人情報を印字した後、各帳票の所定位置に接着剤を塗布しつつ、３つの連続帳票を丁合をとりながら貼り合わせた後、個々の帳票に切り離せるようにしたことを特徴とする封筒一体型帳票。
【発明の詳細な説明】
【技術分野】
【０００１】
この発明は、金融、保険その他に関連する個人情報を印字した帳票において、印字内容を第三者に知られないように隠蔽可能とすると共に、印字内容に関連した案内書やパフレットを封入できるようにした封筒を備えた封筒一体型帳票に関するものである。
【背景技術】
【０００２】
従来から、金融業界や保険業界においては、顧客へのきめ細かなサービスの一環として、銀行であれば、現在の口座残高や資産運用状況、保険会社であれば現在の契約状況等の情報を印字した資料と共に、その情報に見合った案内書やパンフレットを送付するサービスが行われている。この場合、通常、窓つき封筒に、所定位置に各種情報を印字した帳票を入れ、更に各種案内書やパンフレットを同封して郵送することが多い。
【０００３】
しかし、このような作業は、一部機械化が望めるとしても、多くの作業は手作業で行われ、多大な労力と時間が必要であった。また、個人情報を印字した帳票を個別の作業で封入するため、個人情報が人目に触れやすい状態になり、特に、近年の個人情報保護の観点からは、データの漏洩が起こるおそれがあるとして、問題視されている。
【０００４】
このような状況の下、隠蔽すべき個人情報を印字した帳票と、案内書等を封入する封筒を一体にした封筒一体型帳票は、ほとんど提案されていないのが現状である。なお、近似した構成としては、例えば特許文献１に示すような製袋フォームが提案されている。その構成は、連続帳票から形成される製袋フォームであって、複数の帳票片を連設した帳票の所定位置に必要な印字を行い、帳票を折り返して各帳票片の外縁部を接着封止して、情報を隠蔽すると共に収納部を形成するもので、例えば給料袋として実現されるものである。
【０００５】
【特許文献１】特許第３３８２６６２号公報
【発明の開示】
【発明が解決しようとする課題】
【０００６】
しかしながら、上記特許文献１に開示されたものは、複数の帳票片を連設した連続帳票フォームに所定の印刷を行い、これを切り離し、折り畳んで接着するもので、その形成には多大な手間を要するものであった。また、各部に接着剤層を設けるが、再剥離可能な接着剤と、そうでない接着剤を使い分けて用いるなど、複雑な構成であった。
【０００７】
本発明では、かかる現状に鑑み、簡単な構成と手段によって個人情報を隠蔽可能な封筒一体型帳票を提供することを目的としたものである。
【課題を解決するための手段】
【０００８】
上述した課題を解決するために、本発明は、表表紙となる第１帳票と、個人情報を印字する１乃至複数枚の第２帳票と、裏表紙となる第３帳票とからなり、前記第１帳票には透明窓を設け、第２帳票の前記透明窓と対応する位置には宛名等情報印字欄を設ける一方、第２帳票の前記透明窓から見えない部分には個人情報印字欄を設け、前記第１帳票の裏面と前記第３帳票の表面に地紋を設け、前記第１帳票と第２帳票との間は四辺縁部を接着して上記印字部分を密閉し、前記第２帳票と第３帳票との間は三辺を接着して上方開放の封筒部を形成し、当該帳票の片方の側辺を残して他の三辺の接着部分を切り取りミシン線を介して切り取り可能として見開きの小冊子形式を構成するようにした封筒一体型帳票であって、前記第１帳票、第２帳票、第３帳票は、それぞれ連続帳票として個別に作成しておくもので、第２帳票に宛名情報及び個人情報を印字した後、各帳票の所定位置に接着剤を塗布しつつ、３つの連続帳票を丁合をとりながら貼り合わせた後、個々の帳票に切り離せるようにするという手段を採用したものである。
【発明の効果】
【００１１】
上記発明は、隠蔽すべき個人情報を表面に印字した第２帳票の四辺縁部を第１帳票の裏面に接着して密閉するものであるから、個人情報が確実に隠蔽され、外部から読み取ることができなくなるものであり、封筒部には関連する案内書等を投入できるようになるものである。
【００１２】
また、所定位置に透明窓を設けているので、個人情報のうち、宛名等の情報については、透明窓から確認可能であると共に、その他隠蔽すべき情報については、確実に外部から読み取ることができないものであり、特に地紋を施すことによって、透かして読み取ることを防止するものである。
【００１３】
さらに、切り取りミシン線を設けることによって、密閉部分を簡単に切り開き、小冊子形式で印字内容を確認できるようになるものである。
【００１４】
そして、従来手間を要していた製袋フォームに比べ、簡単な構成で確実に個人情報を隠蔽可能な封筒一体型の帳票を提供できるようになった。
【発明を実施するための最良の形態】
【００１５】
以下、本発明に係る封筒一体型帳票の好ましい実施形態を、添付した図面に従って説明する。図１（Ａ）は封筒一体型帳票の構成の一例を示す分解図、同図（Ｂ）は完成斜視図である。図において、１は表表紙となる第１帳票、２は各種明細等の隠蔽すべき個人情報を印字した第２帳票、３は裏表紙となる第３帳票である。なお、第２帳票２は必要に応じて複数葉使用することもある。
【００１６】
第１帳票１において、４は所定の箇所に設ける透明窓であって、前記第２帳票２の印字内容のうち、宛名など必要な部分について外部から読み取り可能としたものである。この透明窓は、所定の大きさに切り抜いた窓の裏面から透明フィルムを貼付して形成してもよいが、公知の薬剤塗布による透明化技術（例えば特開平６１−４１３９７号）を用いて形成することも可能であり、その手段を特に限定するものではない。なお、この第１帳票の裏面には全面に亘り地紋が印刷されており、第２帳票２の印字内容が透けて見えないようにしている。
【００１７】
第２帳票２において、５は前記第１帳票の透明窓４と対応する位置に設ける宛名等情報印字欄であり、整理番号や宛名など、外部から読み取り可能な帳票の識別情報を印字する欄である。６は上記透明窓から読み取ることの出来ない位置に設ける個人情報印字欄で、各種の個人情報など隠蔽すべき情報を印字する欄である。上記宛名等情報印字欄５と個人情報印字欄６に印字する内容は、本帳票を使用する企業等によって、個々に選定されるべきものであり、帳票の使用目的に応じて自由に選定できる。７は第２帳票２の四辺縁部に設けた接着剤塗布部であり、上記第１帳票１を重ねて貼り合わせることによって密閉し、個人情報印字欄６に印字された各種情報を確実に隠蔽することが出来るようにしたものである。
【００１８】
第３帳票３において、８は帳票全面に亘って印刷された地紋であり、第１帳票１の裏面の地紋と同様に、第２帳票２の印字内容が透けて見えないようにしたものである。９は第３帳票３の上辺を残し他の三辺縁部に設けた接着剤塗布部であり、上記第２帳票２を重ねて貼り合わせることにより、上方開口の封筒部１０を形成するものである。この封筒部１０に、案内書・パンフレット等の資料を入れることが出来る。
【００１９】
１１、１１・・・は各帳票間に共通して設ける切り取りミシン線で、帳票の上辺、右辺、下辺の３辺の前記接着剤塗布部７、９に沿って設けたものである。
【００２０】
上記構成の封筒一体型帳票は、図１（Ｂ）に示すように、表面からは透明窓４を通して、宛名等の必要事項等を読み取ることができ、個人情報印字欄６に印字された各種情報は確実に隠蔽される。また、第２帳票２と第３帳票３で形成された封筒部１０に、上記個人情報と対応した各種案内書やパンフレットを投入しておくことにより、個人情報とリンクして利用価値を高めることができる。
【００２１】
続いて、図２に従って、使用方法について述べる。各企業はその所有する個人情報に基づき、個人を対象にその個人の個別情報を印字した第２帳票２を作成し、所定の方法に従って図１（Ｂ）に示す帳票一体型封筒に仕上げる。第２帳票２に印字された情報は、宛名等情報印字欄５に印字された情報のみが透明窓４から読み取ることができ、個人情報印字欄６の個人情報は外部から隠蔽され、読み取ることはできない。そして、上記宛名等情報印字欄５の情報に従って、この帳票が各個人に配布される。このとき、封筒部１０には、必要に応じて、案内書や各種パンフレットを投入しておくことができる。この帳票を受け取った利用者は、透明窓を通して、自己宛であることを確認したうえ、図２（Ａ）に示すように、切り取りミシン線に従って、帳票の上辺、右辺、下辺の接着部分を切り離す。そうすると、帳票は同図（Ｂ）に示すように、左辺を綴じた小冊子形式になり、個人情報印字欄６に印字された各種情報を読み取ることができる。前述の通り、印字内容は、企業によって多様であり、その印字内容と投入された各種案内書等により、利用者は自己の意志を決定できる。
【００２２】
なお、この帳票の大きさは企業等の利用態様に応じて任意に決定できるものである。但し、Ｂ５、Ａ４といった汎用用紙の規格サイズや、封筒の規格サイズ（角２号等）を採用することにより、後の収納・整理等において利便性が向上する。
【００２３】
次に、本願の封筒一体型帳票の具体的製造方法の一例を図３に従って説明する。図３は本願の封筒一体型帳票を構成する連続帳票の分解図である。図において、２１は第１帳票の連続帳票、２２は第２帳票の連続帳票、２３は第３帳票の連続帳票である。２４、２４は各帳票の左右に紙送りのために設けられるマージナルホールであり、切り取りミシン線２５、２５によって最終的に切り取り可能としている。
【００２４】
先ず、第１帳票、第２帳票、第３帳票のそれぞれの連続帳票２１、２２、２３を個別に作成、印刷する。印刷は両面印刷とし、地紋や印字項目の枠、広告等の共通事項はこの時点で印刷すればよい。そして、マージナル部分の切り取りミシン目２５及び帳票の縦方向の切り取りミシン目２６をいれ、それぞれの巻き取りロールを作成する。第２帳票の連続帳票は必要に応じて、複数作成されることもある。
【００２５】
次に、第２帳票について、データベース等から必要な個人情報を宛名等情報印字欄５及び個人情報印字欄６に印字する。続いて、それぞれの連続帳票の横方向に切り取りミシン線２７を入れ、所定位置に接着剤を塗布しつつ、３つの連続帳票２１、２２、２３のロールの丁合を取りながら貼り合わせていく。第２帳票の連続帳票２２の各帳票部には四辺に接着剤塗布部７が設けてあり、第３帳票の連続帳票２３の各帳票部には上辺を残した三辺に接着剤塗布部９が設けてあるので、第２帳票の印字情報は確実に隠蔽されることになり、第２帳票と第３帳票の間には封筒部が形成されることになる。
【００２６】
最後に、マージナル部分を切り離し、さらに個々の帳票に切り離せば、封筒一体型の帳票が完成する。
【００２７】
かかる作業は、一連の機械的動作で行われるので、個人の手作業が不必要で、個人情報が確実に隠蔽されることになる。また、従来に比べて、簡単な構成と手段で封筒一体型帳票を得ることができる。
【図面の簡単な説明】
【００２８】
【図１】（Ａ）は本発明に係る封筒一体型帳票の好ましい実施形態の分解図、（Ｂ）は完成斜視図である。
【図２】（Ａ）は封筒一体型帳票の使用方法の説明図、（Ｂ）は３辺を切り離して小冊子形式とした状態の斜視図である。
【図３】本発明に係る封筒一体型帳票の具体的製造方法の一例を説明する分解図である。
【符号の説明】
【００２９】
１    第１帳票
２    第２帳票
３    第３帳票
４    透明窓
５    宛名等情報印字欄
６    個人情報印字欄
７    第２帳票の接着剤塗布部
８    地紋
９    第３帳票の接着剤塗布部
１０    封筒部
１１    切り取りミシン線
【図１】
0004792256.tif 000002
【図２】
0004792256.tif 000003
【図３】
0004792256.tif 000004